(57)【要約】  無線通信端末（２）は、特定の無線周波数チャンネルが無線信号の受信に使用されている間、無線周波数チャンネルにおいて類似するエネルギーの雑音を生成する連続的なデータバーストの連続送信をスケジュールすることができるデータバーストスケジューラを備え、２つの連続する第１および第２のデータバーストの送信により生成された雑音のそれぞれのエネルギーは、第１のデータバーストの送信の終了時と第２のデータバーストの送信の開始時の間の雑音エネルギー勾配が所定の上限および下限の間にある場合にのみ類似する。
2009535863.tif 000002
【特許請求の範囲】
【請求項１】
無線周波数チャンネルで送信される無線信号を受信し、受信した無線信号をベースバンド信号に変換することができる、無線周波数トランシーバセクションであって、雑音エネルギー勾配が所定の上限および下限の間にとどまる場合にのみ、前記無線周波数チャンネルの雑音を効率的にキャンセルすることができる雑音消去モジュールを有する、無線周波数トランシーバセクションと、
前記ベースバンド信号を処理するベースバンドセクションであって、デジタルデータバスと、前記バスを介してデータバーストを送信する２つの電子回路と、データバーストが送信されている間に前記バスがビジーであることを示し、前のデータバースト送信の終了時から、新たなデータバーストの送信に関して前記バスがフリーであることを示すことができるバスマネージャと、を少なくとも有し、各データバースト送信は、一定エネルギーの雑音を前記無線周波数チャンネルに生成する、ベースバンドセクションと、
を備え、
前記ベースバンドセクションは、前記無線周波数チャンネルが前記無線信号の受信に使用されている間、前記無線周波数チャンネルにおいて類似するエネルギーの雑音を生成する連続的なデータバーストの連続送信をスケジュールすることができるデータバーストスケジューラも備え、
２つの連続する第１および第２のデータバーストの送信により生成された雑音のそれぞれのエネルギーは、前記第１のデータバーストの送信の終了時と前記第２のデータバーストの送信の開始時の間の雑音エネルギー勾配が前記上限および下限の間にある場合にのみ、類似する、ことを特徴とする無線通信端末。
【請求項２】
前記ベースバンドセクションは、前記バスを介して送信される際に、リアルデータバーストの雑音と類似するエネルギーの雑音を生成するダミーデータバーストを、生成することができる、ダミーデータ生成器を備え、
前記スケジューラは、前記無線周波数チャンネルが前記無線信号の受信に使用されている間、送信すべきリアルデータバーストがない時間間隔を、ダミーデータバースト送信で埋め、リアルデータバースト送信の終了時または開始時の雑音エネルギーの急激な降下または上昇を防止するように構成されている、ことを特徴とする請求項１に記載の端末。
【請求項３】
前記バスマネージャは、ダミーデータバーストの送信の間に、送信されるデータがダミーデータであることを前記電子回路に対して示す制御信号を生成することができる、ことを特徴とする請求項２に記載の端末。
【請求項４】
前記スケジューラは、リアルデータバーストの送信を、ダミーデータバーストの送信の前に常にスケジュールするように構成されている、ことを特徴とする請求項２または請求項３に記載の端末。
【請求項５】
前記スケジューラは、前記データバースト送信により生成された雑音によって乱された無線周波数チャンネルが前記無線信号の受信に使用されなくなるとすぐに、連続的なデータバーストの連続送信のスケジューリングを停止するように構成されている、ことを特徴とする請求項１乃至請求項４のいずれかに記載の端末。
【請求項６】
請求項１乃至請求項５のいずれかに記載の端末において、ベースバンドセクションによって生じた無線周波数トランシーバセクションの摂動を減少させる方法であって、
前記無線周波数チャンネルが無線信号の受信に使用されている間、前記無線周波数チャンネルにおいて類似するエネルギーの雑音を生成する、連続的なデータバーストの連続送信をスケジュールするステップを備え、
２つの連続する第１および第２のデータバーストの送信により生成された雑音のそれぞれのエネルギーは、前記第１のデータバーストの送信の終了時と前記第２のデータバーストの送信の開始時の間の雑音エネルギー勾配が前記上限および下限の間にある場合にのみ、類似する、ことを特徴とする方法。
【請求項７】
バスを介して送信される際に、リアルデータバーストの雑音と類似するエネルギーの雑音を生成するダミーデータバーストを、生成するステップと、
前記無線周波数チャンネルが前記無線信号の受信に使用されている間、送信すべきリアルデータバーストがない時間間隔を、ダミーデータバースト送信で埋め、リアルデータバースト送信の終了時または開始時の雑音エネルギーの急激な降下または上昇を防止するステップと、を備える、ことを特徴とする請求項６に記載の方法。
【請求項８】
電子回路へダミーデータバーストの送信を通知するステップを備える、ことを特徴とする請求項７に記載の方法。
【請求項９】
前記データバーストの送信に優先順位付けを行い、前記ダミーデータバーストに最も低い優先順位を常に割り当てるステップを備える、ことを特徴とする請求項７または請求項８に記載の方法。
【請求項１０】
前記データバースト送信の間に生成された雑音によって乱されやすい無線周波数チャンネルが、前記無線信号の受信に使用されなくなるとすぐに、連続的なデータバーストの連続送信をスケジュールする前記ステップを終了するステップを備える、ことを特徴とする請求項６乃至請求項９のいずれかに記載の方法。
【発明の詳細な説明】
【技術分野】
【０００１】
本発明は、無線通信端末およびこの端末内の摂動を減少させる方法に関する。
【背景技術】
【０００２】
無線通信端末であって、
―無線周波数チャンネルで送信される無線信号を受信し、受信した無線信号をベースバンド信号に変換することができる無線周波数トランシーバセクションであって、雑音エネルギー勾配が所定の上限および下限の間にとどまる場合にのみ無線周波数チャンネルの雑音を効率的にキャンセルすることができる雑音消去モジュールを有する、無線周波数トランシーバセクションと、
―ベースバンド信号を処理するベースバンドセクションであって、デジタルデータバスと、バスを介してデータバーストを送信する２つの電子回路と、データバーストが送信されている間にバスがビジーであることを示し、前のデータバースト送信の終了時から、新たなデータバーストの送信に関してバスがフリーであることを示すことができるバスマネージャと、を少なくとも有し、各データバースト送信は、一定エネルギーの雑音を無線周波数チャンネルに生成する、ベースバンドセクションと、
を有する無線通信端末が存在する。
【０００３】
データバーストは、情報の単一のブロックとして送信されるべき、時間的に連続するバイナリデータである。よって、データバーストの送信の間、バスマネージャは、データバースト送信の開始時からデータバースト送信の終了時まで、バスがビジーであることを連続的に示す。その結果、他の回路からの他のデータバーストを送信するために、データバーストの送信を中断することはできない。
【０００４】
例えば、データバーストは、メモリ内の一組の連続するアドレスにおけるデータを、回路が読むか、または書く場合に発生する。
【０００５】
データバースト送信の間、情報は、バスワイヤレベルを、バスクロックに同期してハイレベルからローレベルおよびその逆に変化させることで、バスを介して送信される。このハイレベルからローレベルおよびローレベルからハイレベルへの遷移は、バスクロック周波数に依存する周波数での雑音を生成する。通常、生成される雑音は、バスクロック周波数の高調波周波数で発生する。
【０００６】
例えば、ＧＳＭ（Global System for Mobile Communication）において、ベースバンドプロセッサと外部メモリの間のバスは、１３ＭＨｚでクロッキングされている。その結果、データバースト送信は、９３６ＭＨｚでの雑音を生成し、これは、１３ＭＨｚの第７２の高調波である。９３６ＭＨｚでの雑音は、９００ＭＨｚでの無線周波数チャンネル（このチャンネルは、ＧＳＭ携帯電話では“チャンネル５”として知られている）の周波数帯域内にあり、このチャンネルを乱す。
【０００７】
より正確には、データバーストの送信の間に生成される雑音は、バスワイヤから、無線周波数トランシーバセクションに接続されたアンテナへ放射されるか、あるいはパワーまたはグランド導体などの導体を介して、無線周波数トランシーバセクションへと伝達される。その結果、受信した無線信号のパワー密度スペクトルにおいて、この生成された雑音は、一定振幅の寄生電力ピークとして、または受信した無線信号の主電力ピークの振幅の一定オフセットとして現れる。この後者の場合、雑音により引き起こされるオフセットは、“ＤＣオフセット”として知られる。
【０００８】
生成された雑音のエネルギーが、経時的に急速に変化しない限り、雑音消去モジュールは、この雑音を効率的に消去することができる。
【発明の開示】
【発明が解決しようとする課題】
【０００９】
しかし、本出願者は、バスがアイドル状態からビジー状態およびその逆に移ることにより、雑音エネルギーが、データバースト送信の終了時に急激に減少し、バーストデータ送信の開始時に急激に増加することに気が付いた。従って、雑音消去モジュールは、データバースト送信によって生成される雑音を、常に効率的には消去しない。
【００１０】
この問題を解決するために、多くの解決策が提案されている。例えば、バスクロック周波数を調整して、無線周波数チャンネルからの雑音をオフセットすることが、ミーダー（Meador）らの名で米国特許第５，９２６，５１４号に開示されている。また、
ａ）ベースバンドセクションでの雑音を減少させること、または
ｂ）ベースバンドセクションおよび無線周波数トランシーバセクションの間の遮蔽を強化すること、
が提案されている。
解決策ａ）は、ベースバンドセクションにおいてより強力な回路を持つという傾向に反するため、適切でない。
解決策ｂ）は、小型化の傾向に反するため、これも適切でない。
【００１１】
よって、本発明の目的は、ベースバンドセクション雑音の減少または遮蔽強化を必要とせずに、ベースバンドセクションで生成された雑音に起因する無線周波数トランシーバセクションの摂動が減少される、無線通信端末を提供することを目的とする。
【課題を解決するための手段】
【００１２】
上記および他の目的を考慮して、本発明によると、無線通信端末が提供され、ベースバンドセクションは、無線周波数チャンネルが無線信号の受信に使用されている間、無線周波数チャンネルにおいて類似するエネルギーの雑音を生成する、連続的なデータバーストの連続送信をスケジュールすることができるデータバーストスケジューラを含み、２つの連続する第１および第２のデータバーストの送信により生成された雑音のそれぞれのエネルギーは、第１のデータバーストの送信の終了時と第２のデータバーストの送信の開始時の間の雑音エネルギー勾配が上限および下限の間にある場合にのみ類似する。
【００１３】
上述の端末においては、スケジューラは、バスによって生成された雑音のエネルギー勾配を、雑音消去モジュールが許容可能な所定の限度の間にとどめさせる。よって、雑音消去は、無線周波数チャンネルが無線信号の受信に使用されている間、連続的に効率的となる。その結果、ベースバンドセクションによって生成された雑音に起因する無線周波数トランシーバセクションの摂動は、ベースバンドセクションによって生成された雑音のエネルギーを低下させる必要なしに、かつベースバンドセクションと無線周波数トランシーバセクションの間に遮蔽強化を必要とせずに、低下する。
【００１４】
上述の端末の実施形態は、以下の機能の１つまたは複数を備えてもよい。
―ベースバンドセクションは、バスを介して送信される際に、リアルデータバーストの雑音と類似するエネルギーの雑音を生成するダミーデータバーストを、生成することができるダミーデータ生成器を備え、スケジューラは、無線周波数チャンネルが無線信号の受信に使用されている間、送信すべきリアルデータバーストがない時間間隔を、ダミーデータバースト送信で埋め、リアルデータバースト送信の終了時または開始時の雑音エネルギーの急激な降下または上昇を防止するように構成されている。
―バスマネージャは、ダミーデータバーストの送信の間に、送信されるデータがダミーデータであることを電子回路に対して示す制御信号を生成することができる。
―スケジューラは、リアルデータバーストの送信を、ダミーデータバーストの送信の前に常にスケジュールするように構成されている。
―スケジューラは、データバースト送信により生成された雑音によって乱された無線周波数チャンネルが無線信号の受信に使用されなくなるとすぐに、連続的なデータバーストの連続送信のスケジューリングを停止するように構成されている。
【００１５】
上述の端末の実施形態は、以下の利点を提示する。
―ダミーデータ送信の使用は、回路が送信すべきリアルデータバーストをそれ以上持たない場合でも、スケジューラが、常に、連続的なデータバーストを連続送信できることを、確実にする。
―ダミーデータバーストが送信されていることを電子回路に対して示すことは、これらの回路が、ダミーデータをリアルデータと混同することを防止し、これらの回路の予測不能な挙動を回避する。
―リアルデータバーストを、ダミーデータバーストの前に送信することは、バスを介したデータ送信を、スピードアップする。
―データバーストの連続送信が必要となくなった場合に、この送信をディセーブルすることは、ダミーデータバーストの生成および送信を回避できるため、エネルギーを節約する。
【００１６】
本発明は、また、上述の端末において、ベースバンドセクションによって生じた無線周波数トランシーバセクションの摂動を減少させる方法に関し、この方法は、無線周波数チャンネルが無線信号の受信に使用されている間、無線周波数チャンネルにおいて類似するエネルギーの雑音を生成する連続的なデータバーストの連続送信をスケジュールするステップを含み、２つの連続する第１および第２のデータバーストの送信により生成された雑音のそれぞれのエネルギーは、第１のデータバーストの送信の終了時と第２のデータバーストの送信の開始時の間の雑音エネルギー勾配が上限および下限の間にある場合にのみ類似する。
【００１７】
上述の方法の実施形態は、以下の機能の１つまたは複数を備えてもよい。
―バスを介して送信される際に、リアルデータバーストの雑音と類似するエネルギーの雑音を生成する、ダミーデータバーストを生成するステップと、無線周波数チャンネルが無線信号の受信に使用されている間、送信すべきリアルデータバーストがない時間間隔を、ダミーデータバースト送信で埋め、リアルデータバースト送信の終了時または開始時の雑音エネルギーの急激な降下または上昇を防止するステップ。
―電子回路へダミーデータバーストの送信を通知するステップ。
―データバーストの送信に優先順位付けを行い、ダミーデータバーストに最も低い優先順位を常に割り当てるステップ。
―データバースト送信の間に生成された雑音によって乱されやすい無線周波数チャンネルが、無線信号の受信に使用されなくなるとすぐに、連続的なデータバーストの連続送信をスケジュールするステップを終了するステップ。
【発明を実施するための形態】
【００１８】
本発明のこれらおよび他の態様は、以下の説明、図面および特許請求の範囲から明らかとなる。
【００１９】
図１は、無線通信端末２を示している。端末２は、例えば、ＧＳＭ携帯電話のような携帯電話である。
【００２０】
以下の説明では、当業者に良く知られた機能または構成は、詳細には説明されない。
【００２１】
端末２は、無線信号６を受信するアンテナ４を有する。
【００２２】
アンテナ４は、無線周波数トランシーバセクション１０に接続されており、無線周波数トランシーバセクション１０は、無線信号６を、バス１２を介してベースバンドセクション１４に送信されるベースバンド信号に変換する。ベースバンドセクション１４は、受信したベースバンド信号を処理するように構成されている。
【００２３】
より正確には、セクション１０は、アンテナ４とバス１２との間に接続された無線周波数トランシーバ１８を含んでおり、所定の無線周波数チャンネルで受信した無線信号を復調し、バス１２を介して、対応するベースバンド信号を送信する。典型的には、トランシーバ１８は、異なる無線周波数チャンネルでの無線信号を受信することができる。このために、トランシーバ１８は、複数の可能な無線周波数チャンネルの１つのみの無線信号を受信するように、同調することができる。
【００２４】
トランシーバ１８は、無線信号の受信に現在使用されている無線周波数チャンネルでの雑音を消去する雑音消去モジュール２０を有する。モジュール２０は、雑音のエネルギーが経時的に急速に変化しない場合にのみ、無線信号から雑音を区別することができる。換言すると、モジュール２０は、雑音エネルギー勾配が、下限ＳＬおよび上限ＳＨの間にとどまる場合にのみ、雑音を効率的に消去することができる。
【００２５】
例示を目的として、次の関係に従い、雑音のエネルギーを計算することができる。
【数１】
2009535863.tif 000003
ここで、
―Ｔは、例えばＧＳＭ（Global System for Mobile Communications）での時間スロットの持続時間に等しい時間間隔であり、
―Ｎ（ｔ）は、アンテナ４によって受信され、無線周波数チャンネル外の周波数を除去するフィルタの出力において測定された雑音であり、
―ｔは時間である。
【００２６】
限度ＳＬおよびＳＨは、実験的に決定される。例えば、限度ＳＬおよびＳＨは、｜ＳＬＳＨ｜が受信信号の平均電力の１０％未満となるように選択することができる。
【００２７】
例えば、このようなモジュール２０は、既知のＤＣオフセットフィルタリングアルゴリズムを使用する。例えば、このようなアルゴリズムが、“エッジ端末での直接変換レシーバの使用―新たなＤＣオフセット補償アルゴリズム（Using a direct conversion receiver in edge terminals-a new DC offset compensation algorithm）”（ベント・リンドフ―リサーチエリクソンモバイルコミュニケーションＡＢ、スウェーデン（Bengt LINDOFF-Research Ericsson Mobile Communications AB, Sweden））に開示されている。
【００２８】
例示を目的として、セクション１４は、外部バス３２を介して外部メモリ３４に接続されたベースバンドプロセッサ３０を含む。
【００２９】
ベースバンドプロセッサ３０は、バス１２に接続され、ベースバンド信号を受信し、処理する。
【００３０】
プロセッサ３０は、バス３２を介して、メモリ３４にデータを書き込むか、またはメモリ３４からデータを読み出す必要がある、異なるオンチップモジュールを含む。よって、これらのオンチップモジュールは、リアルデータバーストをトリガすること、および生成することができる。以下の説明では、“リアルデータ”は、送信されたデータが、ベースバンド信号を処理するために、またはトランシーバ１８に送信されるベースバンド信号を生成するために必要とされる、ということを意味する。対照的に、用語“ダミーデータ”は、どのような種類の信号のベースバンド処理に対しても無用なデータを意味する。特に、このようなダミーデータは、トランシーバ１８から受信またはトランシーバ１８に送信されたベースバンド信号の処理に対して無用である。
【００３１】
簡潔さのために、２つのみのこのようなオンチップモジュール３６および３８が、図１に示されている。
【００３２】
モジュール３６および３８は、オンチップバスマネージャ４０と、オンチップスケジューラ４２とに接続されている。
【００３３】
バスマネージャ４０は、バス３２を介してデータバーストの送信および受信を管理および制御することができるステートマシン（state machine）である。データバーストの送信または受信の間、マネージャ４０は、スケジューラ４２に対し、バスがビジーであることを示すことができる。対照的に、データバースト送信の終了時に、マネージャ４０は、スケジューラに４０に対し、バス３２がフリーになることを示すことができる。マネージャ４２は、データおよびアドレスを、モジュール３６および３８から直接受信する。
【００３４】
スケジューラ４２は、マネージャ４０から受信された通知に従って、バス３２を介したデータバーストの送信および受信をスケジュールすることができる。
【００３５】
さらに、スケジューラ４２は、オンチップダミーデータバースト生成器４４によって、ダミーデータバーストの生成をトリガすることができる。生成器４４は、バス３２を介して送信される際に雑音を生成するダミーデータバーストを、直前のリアルデータバースト送信の雑音エネルギーに類似するエネルギーにより生成することができる。ここで、データバースト送信により生成される雑音は、直前のデータバースト送信の終了時と、次のデータバースト送信の開始時との間の雑音エネルギー勾配が、上限ＳＨおよび下限ＳＬの間にある場合に、直前のデータバースト送信の雑音エネルギーと“類似する”と言われる。
【００３６】
例えば、生成器４４は、ランダムアドレスおよび／またはランダムデータを生成し、ダミーデータバーストを生成するランダムまたは擬似ランダム生成器４６を含む。
【００３７】
生成器４４は、マネージャ４０に接続され、生成されたダミーデータバーストを送信し、マネージャ４０に対して、受信されたデータバーストがダミーデータバーストであることを示す。
【００３８】
スケジューラ４２は、テーブル５２を含むオンチップメモリ５０にも接続されている。テーブル５２は、データバーストがプロセッサ３０からメモリ３４またはその逆に送信される場合に、バス３２によって生成された雑音により乱されやすい無線周波数チャンネルの識別子のみを含むリストである。
【００３９】
テーブル５２は、実験により事前決定され、設定される。
【００４０】
例として、バス３２は、制御バス６０と、データを送信するためのデータバス６２と、アドレスを送信するためのアドレスバス６４とを含む。バス６０〜６４のぞれぞれは、一端がマネージャ４０に接続され、他端がメモリ３４に接続された並列のワイヤで形成されている。典型的には、データバス６２およびアドレスバス６４のそれぞれ１つが、８個を超える並列ワイヤを含む。ぞれぞれのワイヤの電圧は、マネージャ４０の制御下で、ハイレベルおよびローレベルに設定することができる。ハイレベルおよびローレベルの間の遷移は、クロック６６によって生成されたクロック信号に従いクロッキングされている。例えば、クロック信号は、１３ＭＨｚの周波数ｆＫを有する。この点に関して、関係（１）の時間間隔Ｔは、１／（ｆＫ）、よりも数倍大きく選択され、好ましくは、１／（ｆＫ）の１００倍より大きく選択される。
【００４１】
メモリ３４は、ＲＡＭ（Random Access Memory）またはＲＯＭ（NORFLASHまたはNANDFLASH）のような読取り／書込みメモリである。
【００４２】
セクション１０および１４の異なる要素の機能のさらなる詳細が、図２の観点から示される。
【００４３】
端末２の動作を、これより、図２を参照して説明する。
【００４４】
無線信号６の受信の開始の前に、端末２は、どの無線周波数チャンネルが無線信号の受信に使用されるかについての情報を受信する。
【００４５】
この受信情報から、ステップ９０において、スケジューラ４２が、使用される次の無線周波数チャンネルがテーブル５２に属するかをチェックする。属しない場合、ステップ９２において、スケジューラは、ダミーデータバーストの送信を省くように設定される。
【００４６】
次いで、無線信号６の受信の間、ステップ９４において、スケジューラ４２は、バス３２を介して送信されるべきリアルデータバーストがあるかをチェックする。送信されるべきリアルデータバーストは、モジュール３６および３８のいずれか一方が、メモリ３４においてデータを読み出しまたは書き込みしたい場合に存在する。
【００４７】
バス３２を介して送信されるべきリアルデータバーストがある場合、ステップ９６において、これらのリアルデータバーストは、バス３２を介して、バスがフリーになるとすぐに送信される。
【００４８】
逆に、ステップ９４において、バス３２を介して送信されるべきリアルデータバーストがない場合、バスはアイドル状態に維持され、これにより、リアルデータバーストがモジュール３６および３８のいずれか一方によってトリガされるとすぐに、次のリアルデータバースト送信を発生可能にする。
【００４９】
例えば、ステップ９６の終了時、またはバス３２がアイドル状態である際に、ステップ９８において、スケジューラ４２が、ステップ９２の後に開始された無線信号受信が終了しているかをチェックする。終了していない場合、方法は、ステップ９４に戻る。終了している場合、方法は、ステップ９０に戻る。
【００５０】
従って、テーブル５２に属しない無線周波数チャンネルにおいて無線信号が受信される間、バス３２での活動は、図３Ａのタイムチャートに示されるようになる。
【００５１】
図３Ａにおいて、タイムチャートは、時刻ｔ０およびｔ１の間で発生する最初のデータバースト送信１００を示している。次いで、時刻ｔ１およびｔ２の間では、バス３２を介して送信されるべきリアルデータバーストは、もはや存在しない。よって、時間間隔［ｔ１，ｔ２］の間、バス３２はアイドル状態である。
【００５２】
時刻ｔ２で、次のリアルデータバースト送信１０２が、時刻ｔ２から時刻ｔ３まで発生する。
【００５３】
図３Ｂは、バス３２を通したバースト１００および１０２の送信によって引き起こされたＤＣ寄与の振幅を示している。時刻ｔ０からｔ１まで、ＤＣ寄与振幅は高い。時刻ｔ１で、ＤＣ寄与振幅はローレベルまで急激に降下する。次いで、時刻ｔ１からｔ２の間、すなわち、バスがアイドル状態である場合、ＤＣ寄与振幅は、低いままである。時刻ｔ２では、ＤＣ寄与振幅は、再びハイレベルまで急激に上昇し、時刻ｔ２からｔ３までほぼ一定のままとなる。モジュール２０は、時間間隔［ｔ０，ｔ１］，［ｔ１，ｔ２］および［ｔ２，ｔ３］の間、ＤＣ寄与を効率的に消去し、それは、これらの時間間隔の間、生成された雑音のエネルギーが、ほぼ一定のままだからである。しかし、時刻ｔ１およびｔ２で、雑音エネルギーが急激に変化し、モジュール２０は、時刻ｔ１およびｔ２では、雑音を正しく消去することができない。しかしこれは、消去されない雑音が無線信号の受信に現在使用されている無線周波数チャンネルを乱さないため、取るに足りないことである。
【００５４】
ステップ９０において、スケジューラ４２が、使用される次の無線周波数チャンネルがテーブル５２に属すると決定した場合、ステップ１１０において、スケジューラ４２は、ステップ１１２を実行するように設定され、このステップで、スケジューラは、連続するデータバーストの連続送信をスケジュールし、各データバースト送信が、前のデータバースト送信の雑音エネルギーに類似するエネルギーの雑音を生成する。ステップ１１２は、テーブル５２に属する無線周波数チャンネルで無線信号が受信される間、継続する。
【００５５】
より正確には、無線信号の受信の開始時に、動作１１４において、スケジューラ４２は、データバーストの送信を優先順位付けし、これにより、リアルデータバーストは、常にダミーデータバーストの前に送信される。例えば、動作１１４において、スケジューラ４２は、バス３２を介して送信されるべきリアルデータバーストがあるかをチェックする。ある場合、動作１１６において、マネージャ４０は、バス３２がフリーになるとすぐにリアルデータバーストを送信する。２つの連続するリアルデータバーストの送信の間に、顕著な時間の中断はない。顕著とは、時間の中断が、限度ＳＬおよびＳＨの外の雑音エネルギー勾配に対応する雑音エネルギーの変化を生成するには短すぎると理解されるよう意図されている。
【００５６】
動作１１４において、スケジューラ４２が、送信されるべきリアルデータバーストはもはや存在しないと決定すると、動作１１８において、生成器４４を制御し、この生成器にダミーデータバーストを生成させる。
【００５７】
次いで、動作１２０において、バス３２がフリーであることをバスマネージャが示すとすぐに、バス３２を介してダミーデータバーストが送信され、２つの連続するリアルデータバースト送信の間の時間間隔を埋める。
【００５８】
同時に、動作１２０において、マネージャ４０は、バス６０を介して制御信号を生成し、現在の送信データがダミーデータであることを示す。例えば、ダミーデータバーストの送信の間にバス６０を介して送信された制御信号は、メモリ３４におけるどのような種類のデータの読み出しまたは書き込み、ならびにモジュール３６および３８によるどのような種類のデータの受信も防止する。
【００５９】
リアルデータバーストの間のダミーデータバーストの埋め込みが、図４Ａに示されている。
【００６０】
図４Ａは、２つの連続するリアルデータバースト１２２および１２４の、バス３２を介した送信を示している。バースト１２２の送信は、時刻ｔ０およびｔ１の間に発生し、バースト１２４の送信は、時刻ｔ２およびｔ３の間に発生する。
【００６１】
ステップ１１８および１２０に起因して、時刻ｔ１からｔ２までの時間間隔の間に、マネージャ４０は、ダミーデータバースト１２６を送信する。このダミーデータバースト１２６の送信は、バースト１２２の送信の終了時とバースト１２６の開始時の間、およびバースト１２６の終了時とバースト１２４の開始時の間に、実質的な時間の中断がないように配置されている。用語「実質的に」は、既に上に定義されている。
【００６２】
結果として生じるＤＣ寄与振幅が、図４Ｂに示されている。示されるように、ＤＣ寄与振幅は、時刻ｔ０からｔ３まで、ほぼ一定のままとなる。よって、モジュール２０は、バス３２により生成された雑音を、常に効率的に消去し続け、それは、この雑音のエネルギーが、図３Ｂの時刻ｔ１およびｔ２で生じたこととは対照的に、どのような急激な変化ももたらさないからである。
【００６３】
理解されるように、その結果、バス３２は雑音を生成するが、生成された雑音は、モジュール２０によって効率的に消去されるため、無線信号の受信にほとんど影響を与えない。
【００６４】
動作１１６および１２０の終了時に、動作１３０において、スケジューラ４２は、無線信号の受信が終了しているかをチェックする。終了していない場合、方法は動作１１４に戻る。終了している場合、方法はステップ９０に戻る。
【００６５】
多くの他の実施形態が可能である。ここで、バス３２は、メモリとベースバンドプロセッサの間の情報の送信にのみ使用されるという特定のケースで説明された。しかし、上の教示は、２つを超える電子回路によって使用されるバスにも適用される。
【００６６】
本明細書は、異なるダイにおいて実施される少なくとも２つの電子回路によって使用される外部バスの特定のケースで構成されている。しかし、本教示は、同一のダイにエッチングされる２つ以上のオンチップ電子回路をリンクするオンチップバスにも適用できる。
【００６７】
バスマネージャ４０は、バスを介して通信する電子回路のエッチングに使用されるものとは異なるダイにエッチングされた外部デバイスとすることもできる。
【００６８】
簡潔な実施形態においては、スケジューラは、送信されるべきリアルデータバーストがない場合の時間間隔の間に、ダミーデータバーストを送信するよう常に設定されている。この実施形態において、ダミーデータバーストの送信は、無線信号の受信に使用される無線周波数チャンネルがテーブル５２に属さない場合でも、発生可能である。
【００６９】
本教示は、制御、データおよびアドレス信号を送信する別個の並列ワイヤを含むバスにのみ、適用されるわけではない。本教示は、共通のワイヤを用いて制御、データおよびアドレス信号が送信されるシリアルバスにも適用される。
【００７０】
最後に、ここでは、バス３２を使用する２つの電子回路の一方がベースバンドプロセッサであり、他方がメモリである特定のケースで説明された。しかし、本教示は、プロセッサおよびコプロセッサなどの他の回路に相互接続するバスにも適用される。
【図面の簡単な説明】
【００７１】
【図１】図１は、無線通信端末の概略図である。
【図２】図２は、図１の端末においてベースバンドセクションによって引き起こされた無線周波数トランシーバセクションの摂動を減少させる方法のフローチャートである。
【図３Ａ】図３Ａは、データバースト送信および対応するＤＣ寄与のタイミングチャートである。
【図３Ｂ】図３Ｂは、データバースト送信および対応するＤＣ寄与のタイミングチャートである。
【図４Ａ】図４Ａは、データバースト送信および対応するＤＣ寄与のタイミングチャートである。
【図４Ｂ】図４Ｂは、データバースト送信および対応するＤＣ寄与のタイミングチャートである。
【図１】
2009535863.tif 000004
【図２】
2009535863.tif 000005
【図３Ａ】
2009535863.tif 000006
【図３Ｂ】
2009535863.tif 000007
【図４Ａ】
2009535863.tif 000008
【図４Ｂ】
2009535863.tif 000009
【国際調査報告】
2009535863.tif 000010
2009535863.tif 000011
2009535863.tif 000012